(57)【要約】【課題】高強度及び大流量を有する多機能排水ヘッドを提供する。【解決手段】排水栓アセンブリは、ベース２１と、昇降体２２と、回転体２３と、上昇用ばね２４と、係止リング２５と、蓋体２６と、封止ガスケット２７とを備える。ベース２１は中心筒体２１１及び外部環状体２１２を有し、中心筒体２１１の上端は外部環状体２１２の上端より高く、且つ中心筒体２１１と外部環状体２１２との間には複数のリブ２１３が形成されている。中心筒体２１１の内周縁には押圧ガイド溝部２１４が形成されている。外部環状体２１２によりベース２１が排水用ドレイン１０の内部に設置されている。且つ下から上に順に、上昇用ばね２４、回転体２３及び昇降体２２が中心筒体２１１の内部に装設されている。係止リング２５が中心筒体２１１の上端に結合されている。【選択図】図４
0003202709.tif 000002
【実用新案登録請求の範囲】
【請求項１】
排水用ドレインを有し、高強度及び大流量を有する多機能排水ヘッドであって、
前記排水用ドレインの内部に、排水及び停水の制御に用いられる排水栓アセンブリが設けられており、前記排水栓アセンブリは、ベースと、昇降体と、回転体と、上昇用ばねと、係止リングと、蓋体と、封止ガスケットとを備え、
前記ベースは、中心筒体及び外部環状体を有し、前記中心筒体の上端が前記外部環状体の上端より高く形成されており、且つ前記中心筒体と前記外部環状体との間に複数のリブが形成されており、前記中心筒体の内周縁に押圧ガイド溝部が形成されており、前記外部環状体により前記ベースが前記排水用ドレインの内部に設置されており、
前記上昇用ばね、前記回転体、及び前記昇降体は、前記中心筒体の内部に下から上の順に装設されており、
前記係止リングは、前記中心筒体の上端に結合されており、
前記中心筒体、前記昇降体、前記回転体、前記上昇用ばね、及び前記係止リングは、押圧式進退機構を構成し、
前記蓋体は前記昇降体の上方に結合されており、
前記封止ガスケットは前記蓋体の外周縁に覆設されていることを特徴とする多機能排水ヘッド。
【請求項２】
前記リブは螺旋状であることを特徴とする、請求項１に記載の多機能排水ヘッド。
【請求項３】
前記リブは、上縁に導流凹状弧が形成されていることを特徴とする、請求項２に記載の多機能排水ヘッド。
【請求項４】
前記排水用ドレインは、内周縁に雌ねじが形成されており、
前記外部環状体は、外周縁に雄ねじが形成されており、
前記ベースは、前記外部環状体の雄ねじと前記排水用ドレインの雌ねじとの結合により、前記排水用ドレインの内部に設置されていることを特徴とする請求項１〜３の何れか１項に記載の多機能排水ヘッド。
【請求項５】
前記昇降体は、上端に突出柱が設けられており、前記突出柱には雌ねじが形成されており、前記蓋体の底縁に凹状孔が形成されており、前記凹状孔に雌ねじが形成され、前記蓋体が前記昇降体の上方に結合されていることを特徴とする、請求項１〜３の何れか１項に記載の多機能排水ヘッド。
【請求項６】
前記封止ガスケットは、外周縁にフランジが形成されていることを特徴とする、請求項１〜３の何れか１項に記載の多機能排水ヘッド。
【考案の詳細な説明】
【技術分野】
【０００１】
本考案は、排水状態から停水状態に切り換えられる過程で発生する押圧衝撃力を、高強度の一体式支持構造により支持させる高強度及び大流量を有する多機能排水ヘッドに関する。
【背景技術】
【０００２】
例えば、特許文献１に記載されている「プッシュポップ排水栓の排水用ドレイン」は、排水用ドレイン３０に排水及び停水の制御に用いられる排水栓４０が内設され、排水栓４０は外部ケース４１と、昇降体４２と、回転体４３と、上昇用ばね４４と、底部ケース４５と、蓋体４６と、封止ガスケット４７と、押圧ばね４８とで構成される。外部ケース４１は排水用ドレイン３０の内縁に螺設され、且つ上から下に順に昇降体４２、回転体４３及び上昇用ばね４４が外部ケース４１の内部に装設される。底部ケース４５は予め固定され、従来の押圧式進退機構が構成される。また、蓋体４６は昇降体４２の上方に螺設され、封止ガスケット４７は蓋体４６の帽子体の周縁に覆設される。封止ガスケット４７の外周縁にはフランジ４７１が形成され、押圧ばね４８は昇降体４２の外周縁に覆設され、外部ケース４１の上端の係止リング４１１及び昇降体４２の底端の支持ブロック４２１は予め定位される（図１Ａ乃至図１Ｃ参照）。
【先行技術文献】
【特許文献】
【０００３】
【特許文献１】台湾実用新案第ＴＷＭ２７７７６４号明細書
【考案の概要】
【考案が解決しようとする課題】
【０００４】
しかしながら、前述した従来の技術では、即ち、上述の先行技術では排水状態から停水状態に変換される過程において、蓋体４６の圧下により上昇用ばね４４が圧縮され、ばねの外張力により高速に増加される衝撃を底部ケース４５が支持させねばならない。洗面台に使用する場合、手で蓋体４６を下に押し、底部ケース４５が支持させるばねの外張力による衝撃は小さいが、ただし、浴槽に使用する場合、足で蓋体４６を踏むため、底部ケース４５が支持させるばねの外張力による衝撃は大きく、底部ケース４５の係合式の設計では、構造強度が不足する。
【０００５】
さらに、上述の先行技術が排水状態の場合、蓋体４６が突出される排水高度ｈ１は制限があるため、排水用ドレイン３０に対して形成される蓋体４６の排水口が小さくなり、排水量の増加が望まれている。また、押圧式進退機構の作動距離が短く、下に押されて跳ねる動作が確実に行えず、排水及び停水の切り換えがスムーズに行えなくなる。そこで、本考案者は上記の欠点が改善可能と考え、鋭意検討を重ねた結果、合理的設計で上記の課題を効果的に改善する本考案の提案に到った。
【０００６】
本考案は、以上の従来技術の課題を解決する為になされたものである。即ち、本考案の目的は、高強度及び大流量を有する多機能排水ヘッドを提供し、構造強度を高める効果を有する。
【０００７】
本考案の他の目的は、排水量を増加させて排水及び停水の切り換えをスムーズに行える効果を有する。
【０００８】
本考案のさらなる他の目的は、排水の導流をスムーズにする効果を有する。
【課題を解決するための手段】
【０００９】
上述した課題を解決し、上記目的を達成するための本考案は、排水用ドレインを有し、高強度及び大流量を有する多機能排水ヘッドであって、排水用ドレインに排水及び停水の制御に用いられる排水栓アセンブリが内設され、排水栓アセンブリはベースと、昇降体と、回転体と、上昇用ばねと、係止リングと、蓋体と、封止ガスケットとを備える。ベースは中心筒体及び外部環状体を有し、中心筒体の上端は外部環状体の上端より高く、且つ中心筒体と外部環状体との間には複数のリブが形成される。中心筒体の内周縁には押圧ガイド溝部が形成され、外部環状体によりベースが排水用ドレインの内部に設置され、下から上に順に上昇用ばね、回転体及び昇降体が中心筒体の内部に装設される。係止リングが中心筒体の上端に結合され、中心筒体、昇降体、回転体、上昇用ばね及び係止リングにより押圧式進退機構が構成され、蓋体が昇降体の上方に結合され、封止ガスケットが蓋体の外周縁に覆設される。
【００１０】
このほか、各リブは螺旋状の形態であり、各リブの上縁には導流凹状弧をさらに有する。また、排水用ドレインの内周縁には雌ねじが形成され、外部環状体の外周縁には対応される雄ねじが形成され、ベースは外部環状体の雄ねじと排水用ドレインの雌ねじとの結合により、ベースが排水用ドレインの内部に設置される。なお、昇降体の上端には突出柱を有し、突出柱には雌ねじが形成され、蓋体の底縁には凹状孔を有し、凹状孔は突出柱の雌ねじに対応される箇所には雌ねじが形成され、蓋体が昇降体の上方に結合される。しかしながら、封止ガスケットの外周縁にはフランジが形成される。
【考案の効果】
【００１１】
上記の技術手段により、本考案は中心筒体の底部が一体式で設計され、構造強度を高め、本考案が浴槽に使用される場合、中心筒体は一体式の底部が十分な構造強度を有するため、足で踏まれるさいの大きな衝撃力にも耐えられる。また、蓋体が突出される排水高度が増加され、各リブの上縁には導流凹状弧を有する構成であり、排水量を増加させると共に排水及び停水の切り換えをスムーズに行える効果を有する。
【図面の簡単な説明】
【００１２】
【図１Ａ】従来の排水ヘッドの構成を示す分解斜視図である。
【図１Ｂ】従来の排水ヘッドの構成を示す断面図（排水場合）である。
【図１Ｃ】従来の排水ヘッドの構成を示す分解斜視図（停水場合）である。
【図２】本考案の一実施形態に係る排水ヘッドを示す分解斜視図（一）である。
【図２Ａ】本考案の一実施形態に係る排水ヘッドのベースの構成を示す平面図である。
【図３】本考案の一実施形態に係る排水ヘッドを示す分解斜視図（二）である。
【図４】本考案の一実施形態に係る排水ヘッドを示す断面図（排水場合）である。
【図５】本考案の一実施形態に係る排水ヘッドを示す断面図（停水場合）である。
【考案を実施するための形態】
【００１３】
以下に図面を参照して、本考案を実施するための形態について、詳細に説明する。なお、本考案は、以下に説明する実施形態に限定されるものではない。
【００１４】
（一実施形態）
本考案では、排水用ドレイン１０に排水及び停水の制御に用いられる排水栓アセンブリ２０が内設され、排水栓アセンブリ２０はベース２１と、昇降体２２と、回転体２３と、上昇用ばね２４と、係止リング２５と、蓋体２６と、封止ガスケット２７とを備える。ベース２１は中心筒体２１１及び外部環状体２１２を有し、中心筒体２１１の上端は外部環状体２１２の上端より高く、且つ中心筒体２１１と外部環状体２１２との間には複数のリブ２１３が形成され、各リブ２１３は螺旋状の形態である。また、各リブ２１３の上縁には導流凹状弧を有し、中心筒体２１１の内周縁には押圧ガイド溝部２１４が形成され、排水用ドレイン１０の内周縁には雌ねじ１０１が形成され、外部環状体２１２の外周縁には対応される雄ねじ２１５が形成される。ベース２１は外部環状体２１２の雄ねじ２１５と排水用ドレイン１０の雌ねじ１０１との結合により、ベース２１が排水用ドレイン１０の内部に設置され、下から上に順に上昇用ばね２４、回転体２３及び昇降体２２が中心筒体２１１の内部に装設される。係止リング２５が中心筒体２１１の上端に結合され、中心筒体２１１、昇降体２２、回転体２３、上昇用ばね２４及び係止リング２５により押圧式進退機構が構成される。昇降体２２の上端には突出柱２２１を有し、突出柱２２１には雌ねじ２２２が形成され、蓋体２６の底縁には凹状孔２６１を有し、凹状孔２６１には突出柱２２１の雌ねじ２２２に対応される雌ねじ２６２が形成される。蓋体２６が昇降体２２の上方に結合され、封止ガスケット２７は蓋体２６の外周縁に覆設され、封止ガスケット２７の外周縁にはフランジ２７１が形成される（図２乃至図５参照）。
【００１５】
この構成により、本考案は、［図４〕に示す排水状態から［図５〕に示す停水状態に切り換えられる過程において、上昇用ばね２４により中心筒体２１１の底部に施されるばねの外張力が急速に増加し、中心筒体２１１の底部により激増する衝撃力が支持される。中心筒体２１１の底部が一体式で設計されることで、本考案が浴槽に使用される場合、中心筒体２１１は一体式の底部に十分な構造強度を有するため足で踏まれることで発生する大きな衝撃力にも耐えられる。よって、本考案は構造強度を高める効果を有する。
【００１６】
さらに、中心筒体２１１の上端が外部環状体２１２の上端より高いため、排水状態の蓋体２６が昇降体２２の上死点の上昇に従ってより高く跳ね上がり、蓋体２６が突出される排水高度ｈ２も増加し、排水量も増加する。また、中心筒体２１１の内部により長い距離を有し、押圧式進退機構が作動する距離も長くなって押圧により跳ねる動作が確実に達成され、排水及び停水の切り換えがスムーズになる。これにより、本考案は、排水量を増加させると共に排水及び停水の切り換えがスムーズになるという効果をさらに有する。このほか、各リブ２１３は螺旋状の形態であり、且つ各リブ２１３の上縁には導流凹状弧を有し、両者は共に排水の導流を助ける。このため、本考案は排水の導流がスムーズになるという効果を有する。
【００１７】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲の請求項に含まれるものとする。
【符号の説明】
【００１８】
１０  排水用ドレイン
１０１  雌ねじ
２０  排水栓アセンブリ
２１  ベース
２１１  中心筒体
２１２  外部環状体
２１３  リブ
２１４  押圧ガイド溝部
２１５  雄ねじ
２２  昇降体
２２１  突出柱
２２２  雌ねじ
２３  回転体
２４  上昇用ばね
２５  係止リング
２６  蓋体
２６１  凹状孔
２６２  雌ねじ
２７  封止ガスケット
２７１  フランジ
３０  排水用ドレイン
４０  排水栓
４１  外部ケース
４１１  係止リング
４２  昇降体
４２１  支持ブロック
４３  回転体
４４  上昇用ばね
４５  底部ケース
４６  蓋体
４７  封止ガスケット
４７１  フランジ
４８  押圧ばね
【図１Ａ】
0003202709.tif 000003
【図１Ｂ】
0003202709.tif 000004
【図１Ｃ】
0003202709.tif 000005
【図２】
0003202709.tif 000006
【図２Ａ】
0003202709.tif 000007
【図３】
0003202709.tif 000008
【図４】
0003202709.tif 000009
【図５】
0003202709.tif 000010